(57)【要約】【課題】内倒し兼用内開き窓において、ヒンジ装置の縦框側軸受を障子の外周部に沿って配置したシール材を切断することなく連続させた状態で配置できるようにする。【解決手段】障子５は外周部にシール保持部５ｂを有し、このシール保持部５ｂに前記窓枠４の室内面側に当接することにより気密性を保持するシール材２０が取り付けられ、縦框側軸受２は、前記シール保持部５ｂの見込み面に取り付けられ、前記シール保持部５ｂの裏面側に配設された裏当材７に対して、前記縦框側軸受２から前記シール保持部５ｂを貫通し前記裏当材７に螺合させたネジ１０Ａ、１０Ｂによって固定され、前記シール材２０を前記縦框側軸受２の取付部位においても連続させる。【選択図】図３
2013209814.tif 000002
【特許請求の範囲】
【請求項１】
水平方向への回動操作によって開閉自在とされる開閉体を支持する軸受金具を前記開閉体に取付けるための取付構造であって、
前記開閉体は、外周部にシール保持部を有し、このシール保持部に前記開閉体を囲む枠体の室内面側に当接することにより気密性を保持するシール材が取り付けられ、
前記軸受金具は、前記シール保持部の見込み面に取り付けられ、前記シール保持部の裏面側に配設された裏当材に対して、前記縦框側軸受から前記シール保持部を貫通し前記裏当材に螺合させたネジによって固定され、前記シール材を前記縦框側軸受の取付部位においても連続させていることを特徴とする軸受金具の取付構造。
【請求項２】
縦框の上端をハンドルの回動操作に連動して障子の周囲に移動可能に設けられた連動機構によって離反自在とした蝶番をもって窓枠の縦枠に取付け、前記縦框の下端に配置した縦框側軸受と前記縦枠の下端に配置した縦枠側軸受とを枢軸によって連結したヒンジ装置によって障子を鉛直軸回りに回転自在かつ室内側に傾動自在に支持し、前記上框と前記蝶番部とをリンク機構をもって連結し、前記障子を前記蝶番と前記ヒンジ装置との支持で内開き可能とするとともに、前記蝶番の離反に伴うリンク機構と前記ヒンジ装置との支持で内倒し開き可能とした内倒し兼用内開き窓において、
前記障子は、外周部にシール保持部を有し、このシール保持部に前記窓枠の室内面側に当接することにより気密性を保持するシール材が取り付けられ、
前記縦框側軸受は、前記シール保持部の見込み面に取り付けられ、前記シール保持部の裏面側に配設された裏当材に対して、前記縦框側軸受から前記シール保持部を貫通し前記裏当材に螺合させたネジによって固定され、前記シール材を前記縦框側軸受の取付部位においても連続させていることを特徴とする内倒し兼用内開き窓。
【請求項３】
前記開閉体又は障子はアルミ合金からなり、前記軸受金具又は前記縦框側軸受には前記シール保持部側への対向面に、上下複数段で軸状のスペーサが設けられ、これらスペーサは前記シール保持部に形成された水平方向の貫通孔を通してその先端面を前記裏当材に当接させている請求項１記載の軸受金具の取付構造又は請求項２記載の内倒し兼用内開き窓。
【発明の詳細な説明】
【技術分野】
【０００１】
本発明は、水平方向への回動操作によって開閉自在とされる開閉体を支持する軸受金具を前記開閉体に取付けるための取付構造及び窓枠に対して、障子を室内側に傾動させて内倒し窓としたり、障子を室内側に回動させて内開き窓としたりできる内倒し兼用内開き窓に関する。
【背景技術】
【０００２】
従来より窓形式としては、内開き形式、外開き形式、内倒し形式、外倒し形式、突出し形式等の種々の形式のものが存在しているが、従来はこれらの窓形式の内、使用用途に応じて１形式の態様に限定したものしかなかった。
【０００３】
近年、これらの窓型式の内、２つの窓型式を兼用したものが幾つか提案されている（例えば、下記特許文献１〜３等）。
【０００４】
これらの兼用タイプの窓の内、特に下記特許文献１記載のサッシ窓５０は、図１５に示されるように、窓本体の縦框５２Ｄの上端を、ハンドル５５の回動操作に連動して障子５２の周囲に移動可能に設けられた連動機構によって蝶着離反を自在とした蝶番５３をもって窓枠５１の縦枠部５１Ｄに取付け、前記縦框５２Ｄの下端をヒンジ装置５４によって障子５２を鉛直軸回りに回転自在かつ室内側に傾動自在に支持し、窓本体の上框部５２Ａと前記蝶番部５３をリンク機構６２をもって連結し、窓本体を蝶番５３と枢軸５４Ｃとで内開き可能とし、該蝶番５３の離反に伴うリンク機構６２と枢軸５４Ｃの支持で内倒し開き可能としたサッシ窓である。
【先行技術文献】
【特許文献】
【０００５】
【特許文献１】実開昭５５−１２３５７８号公報
【特許文献２】特公平６−７６７４７号公報
【特許文献３】実公平６−１１３４９号公報
【発明の概要】
【発明が解決しようとする課題】
【０００６】
前記ヒンジ装置５４は、図１９に示されるように、縦框５２Ｄの下端に配置した縦框側軸受５４Ａと、前記縦枠５１Ｄの下端に配置した縦枠側軸受５４Ｂとを枢軸５４Ｃによって連結したものである。
【０００７】
前記縦框側軸受５４Ａの取付け構造は、図２０に示されるように、一端側で縦框側軸受５４を把持する軸受取付板６３の他端を縦框５２Ｄに対してネジ止めする構造が採用されていた。
【０００８】
一方、障子５１の外周部６４には、窓枠５１に対して当接することにより気密性を保持するシール材が取り付けられるのが一般的であるが、前記軸受取付板６３が前記外周部６４を横断するように配置されているため、前記シール材を該縦框側軸受５４Ａの取付部位で切断し不連続とする必要があった。その結果、前記縦框側軸受の取付部位での気密性が低下する問題が生じていた。
【０００９】
そこで本発明の第１の課題は、水平方向への回動操作によって開閉自在とされる開閉体を支持する軸受金具を前記開閉体に取付けるための取付構造であって、前記軸受金具を開閉体の外周部に沿って配置したシール材を切断することなく連続させた状態で配置できるようにすることにある。
【００１０】
また、第２の課題は、上記軸受金具の取付構造を採用した内倒し兼用内開き窓を提供することにある。
【課題を解決するための手段】
【００１１】
前記第１課題を解決するために請求項１に係る本発明として、水平方向への回動操作によって開閉自在とされる開閉体を支持する軸受金具を前記開閉体に取付けるための取付構造であって、
前記開閉体は、外周部にシール保持部を有し、このシール保持部に前記開閉体を囲む枠体の室内面側に当接することにより気密性を保持するシール材が取り付けられ、
前記軸受金具は、前記シール保持部の見込み面に取り付けられ、前記シール保持部の裏面側に配設された裏当材に対して、前記縦框側軸受から前記シール保持部を貫通し前記裏当材に螺合させたネジによって固定され、前記シール材を前記縦框側軸受の取付部位においても連続させていることを特徴とする軸受金具の取付構造が提供される。
【００１２】
上記請求項１記載の発明においては、軸受金具は、前記シール保持部の見込み面に取り付けられ、前記シール保持部の裏面側に配設された裏当材に対して、前記縦框側軸受から前記シール保持部を貫通し前記裏当材に螺合させたネジによって固定されている。従って、前記シール材は前記縦框側軸受の取付部位においても切断することなく、連続させることが可能となり、高い気密性が保持できるようになる。
【００１３】
前記第２課題を解決するために請求項２に係る本発明として、縦框の上端をハンドルの回動操作に連動して障子の周囲に移動可能に設けられた連動機構によって離反自在とした蝶番をもって窓枠の縦枠に取付け、前記縦框の下端に配置した縦框側軸受と前記縦枠の下端に配置した縦枠側軸受とを枢軸によって連結したヒンジ装置によって障子を鉛直軸回りに回転自在かつ室内側に傾動自在に支持し、前記上框と前記蝶番部とをリンク機構をもって連結し、前記障子を前記蝶番と前記ヒンジ装置との支持で内開き可能とするとともに、前記蝶番の離反に伴うリンク機構と前記ヒンジ装置との支持で内倒し開き可能とした内倒し兼用内開き窓において、
前記障子は、外周部にシール保持部を有し、このシール保持部に前記窓枠の室内面側に当接することにより気密性を保持するシール材が取り付けられ、
前記縦框側軸受は、前記シール保持部の見込み面に取り付けられ、前記シール保持部の裏面側に配設された裏当材に対して、前記縦框側軸受から前記シール保持部を貫通し前記裏当材に螺合させたネジによって固定され、前記シール材を前記縦框側軸受の取付部位においても連続させていることを特徴とする内倒し兼用内開き窓が提供される。
【００１４】
上記請求項２記載の発明においても、前記縦框側軸受は、前記シール保持部の見込み面に取り付けられ、前記シール保持部の裏面側に配設された裏当材に対して、前記縦框側軸受から前記シール保持部を貫通し前記裏当材に螺合させたネジによって固定されている。従って、前記シール材は前記縦框側軸受の取付部位においても切断することなく、連続させることが可能となり、高い気密性が保持できるようになる。
【００１５】
請求項３に係る本発明として、前記開閉体又は障子はアルミ合金からなり、前記軸受金具又は前記縦框側軸受には前記シール保持部側への対向面に、上下複数段で軸状のスペーサが設けられ、これらスペーサは前記シール保持部に形成された水平方向の貫通孔を通してその先端面を前記裏当材に当接させている請求項１記載の軸受金具の取付構造又は請求項２記載の内倒し兼用内開き窓が提供される。
【００１６】
上記請求項３記載の発明では、前記開閉体又は障子はアルミ合金からなる。アルミ合金の形材の場合は、シール保持部を小ホロー形状（小さな中空形状）にすることができないため、前記軸受金具又は縦框側軸受をシール保持部の見込み面に取り付ける際、ネジによる締め込みを行うと、前記シール保持部の突出片が締め込み力によって塑性変形したり破損したりする問題が新たに発生するため、前記軸受金具又は縦框側軸受の前記シール保持部側への対向面に、上下複数段で軸状のスペーサを設け、これらスペーサを前記シール保持部に形成された水平方向の貫通孔を通してその先端面を前記裏当材に当接させるようにしたものである。
【発明の効果】
【００１７】
以上詳説のとおり請求項１に係る本発明によれば、水平方向への回動操作によって開閉自在とされる開閉体を支持する軸受金具を前記開閉体に取付けるための取付構造であって、前記軸受金具を開閉体の外周部に沿って配置したシール材を切断することなく連続させた状態で配置できるようになる。
【００１８】
また、請求項２に係る本発明によれば、上記効果を有する内倒し兼用内開き窓を提供することが可能となる。
【００１９】
更に、請求項３に係る発明によれば、軸受金具又は縦框側軸受の取付けに当り、シール保持部の変形や破損を防止できるようになる。
【図面の簡単な説明】
【００２０】
【図１】本発明に係るヒンジ装置１の分解図である。
【図２】本発明に係るヒンジ装置１の正面図である。
【図３】障子の縦框５Ｄに設けられる縦框側軸受２の横断面図（図２のIII−III線矢視図）である。
【図４】窓枠の縦枠４Ｄに設けられる縦枠側軸受３の横断面図（図２のIV−IV線矢視図）である。
【図５】縦框側軸受２の構造を示す、(A)は側面図、(B)は裏当て材の左側面図である。
【図６】縦枠側軸受３の縦断面図である。
【図７】縦枠側軸受３を示す、(A)は正面側からの斜視図、(B)は裏面側からの斜視図である。
【図８】縦枠側軸受３を示す、(A)は正面図、(B)は左側面図、(C)は裏面図、(D)は平面図である。
【図９】縦枠側軸受３を取り付けるために縦框に施す開孔処理を示す要部正面図である。
【図１０】縦枠側軸受３の取付け要領を示す図（(A)〜(D)）である。
【図１１】縦枠側軸受３のネジ締結部を示す、(A)は締め込み前の断面図、(B)は締め込み後の断面図である。
【図１２】第２形態例に係る縦枠側軸受３’を示す、(A)は正面側からの斜視図、(B)は裏面側からの斜視図である。
【図１３】第２形態例に係る縦枠側軸受３’を示す、(A)は正面側からの斜視図、(B)は裏面側からの斜視図である。
【図１４】縦框側軸受２の固定のための裏当材の他例を示す横断面図である。
【図１５】内倒し兼用内開き窓の例を示す正面図（内観図）である。
【図１６】その構造を説明するための正面図である。
【図１７】内開きした状態を示す斜視図である。
【図１８】内倒しした状態を示す縦断面図である。
【図１９】下側のヒンジ装置を示す要部斜視図である。
【図２０】従来の縦框側軸受５４Ａの取付態様を示す要部斜視図である。
【発明を実施するための形態】
【００２１】
以下、本発明の実施の形態について図面を参照しながら詳述する。
〔内倒し兼用内開き窓の構造例〕
内倒し兼用内開き窓の構造例として、前記特許文献１（実開昭５５−１２３５７８号公報）に示されたものを挙げて説明することとする。なお、詳細な説明は同公報に讓るとして、本明細書ではその概略構造について、図１５〜図２０に基づいて説明を行う。
【００２２】
図１５に示されるように、内倒し兼用内開き窓５０は、上枠５１Ａ、下枠５１Ｂ、左右縦枠５１Ｃ、５１Ｄとによって方形状に枠組みされた窓枠５１内に、上框５２Ａ、下框５２Ｂ、左右縦框５２Ｃ、５２Ｄとによって方形状に枠組みされ、内部にガラスＧが嵌合支持された障子５２を内開き可能かつ内倒し可能に支持したものである。
【００２３】
前記障子５２は、前記縦枠５１Ｄの上部と前記縦框５２Ｄの上部と連結する蝶番５３と、前記縦枠５１Ｄの下端部に配置したヒンジ装置５４とによって前記窓枠内５１内に障子５１が嵌合支持され、前記障子５１の反対側には、縦框５１Ｃの中間にハンドル５５が設けられている。
【００２４】
前記ヒンジ装置５４は、図１９及び図２０に示されるように、前記縦框５２Ｄの下端に配置した縦框側軸受５４Ａと前記縦枠５１Ｄの下端に配置した縦枠側軸受５４Ｂとを枢軸５４Ｃによって連結したものであり、このヒンジ装置５４によって、前記障子５２は鉛直軸回りに回転自在かつ室内側に傾動自在に支持されるようになっている。
【００２５】
また、図１６に示されるように、前記蝶番５３と上框５２Ａとに亘ってリンク機構６２を枢着連結すると共に、前記蝶番５３に受け片５６を一体的に設けている。前記障子５２の周囲には、左右縦框５２Ｃ、５２Ｄ及び下框５２Ｂに亘ってハンドル５５の回動操作によって、部材方向に沿って移動可能とされる作動部材５７が設けられている。
【００２６】
前記下枠５１Ｂに受け部材５８を設けるとともに、前記作動部材５７の下框５２Ｂ部位に前記受け部材５８に係脱可能とする係合部材５９を設け、縦框５２Ｄには前記受け片５６に係脱可能とする係合ローラ６０を前記作動部材４７に設けている。更に、前記作動部材５７には、ロック部材５７ａ、５７ｂが設けられ、窓枠側にはこれらに対応して受け部６１ａ、６１ｂが設けられている。
【００２７】
この状態から、前記ハンドル５４を掴んで水平配置となるように、９０°回動させると、前記ロック部材５７ａ、５７ｂが受け部６１ａ、６１ｂから外れる。この状態では、前記係合ローラ６０は受け片５６に係合した状態のまま保持されているため、リンク機構６２は作動せず、障子５１をハンドル５５を持って室内側に引くと、図１７に示されるように、障子５１は蝶番５３、ヒンジ装置５４を中心として鉛直軸回りに回動し内開き窓となる。
【００２８】
一方、内倒し窓として使用したい場合は、障子５１を一旦閉じて、ハンドル５５を更に９０°回して縦向き（最初の状態から１８０°）に配置すると、係合ローラ６０が受け片５７から離脱するとともに、係合部材５９が受け部材５８に係合する。そして、障子５１をハンドル５５を持って室内側に引くと、図１８に示されるように、リンク機構６２の作動によって上部側では上框５２Ａが上枠５１Ａから離反する一方、下側では前記ヒンジ装置５４による支持と、係合部材５９が受け部材５８に係合しているため（水平軸回りの回動を許容）、障子５２が室内側に傾動し内倒し窓となる。
〔ヒンジ装置５４〕
次に、前述した内倒し兼用内開き窓５０のヒンジ装置（５４）に代えて、本発明が提案するヒンジ装置１について図１〜図１３に基づいて詳述する。
【００２９】
本発明に係るヒンジ装置１は、図１〜図３に示されるように、縦框５Ｄの下端部に配置された縦框側軸受２と、縦枠４Ｄの下端に配置された縦枠側軸受３と、これら軸受２，３とを連結する枢軸８とから主に構成されるものである。このヒンジ装置１によって、障子５が鉛直軸回りに回転自在かつ室内側に傾動自在に支持される点は従来と同様である。。
【００３０】
以下、縦框側軸受２（本発明の軸受金具に対応）、枢軸８、縦枠側軸受３の順で説明を行う。
【００３１】
＜縦框側軸受２＞
障子５の縦框５Ｄは、図３に示されるように、見込み面の室内側には縦枠４Ｄ側方向に向かって突出する突出片５ａを有し、その先端に縦枠４Ｄの室内面側に向かって開口する断面略コ字状のシール保持部５ｂを備え、このシール保持片５ｂに縦枠４Ｄの室内面側に当接するシール部材２０が設けられている。前記シール部材２０は、障子５の外周部全周に亘って設けられ、気密性を保持するようになっている。
【００３２】
本縦框側軸受２は、前記シール保持部５ｂの見込み面に設けられるようになっている。
【００３３】
前記縦框側軸受２は、詳細には図５に示されるように、主に軸受本体６と、前記シール保持部５ｂの裏面側に配設された裏当材７と、前記軸受本体６を覆うカバー材９とからなる。
【００３４】
前記軸受本体６は、上部側に位置するネジ取付板部６Ａを有し、それよりも下側は中空孔６ａを有する軸ホルダー部６Ｂとなっている。前記ネジ取付け板部６Ａにはネジ孔６ｂが形成され、ネジ１０Ａが縦框５Ｄのシール保持部５ｂを水平方向に貫通するように挿入され、裏当材７に対して螺入されるようになっている。前記軸ホルダー部６Ｂの下部側には裏当材７方向に向かって設けられたネジ設置孔６ｃを有し、このネジ設置孔６ｃにネジ１０Ｂが縦框５Ｄのシール保持部５ｂを水平方向に貫通するように挿入され、前記裏当材７に対して螺入されるようになっている。
【００３５】
前記中空孔６ａには、上面側の開口より障子５の高さ調整のために調整ネジ１０が螺入されている。前記中空孔６ａの下面開口には、枢軸８の上部側枢軸８ａが挿入されるようになっている。また、前記調整ネジ１０の下端と前記上部側枢軸８ａの上端との間には、回動を円滑にするためにブシュ１１が介在されている。
【００３６】
前記軸受本体６のシール保持部５ｂ側への対向面には、上下二段で前記シール保持部５ｂの変形を抑制するためのスペーサ６Ｃ、６Ｃが設けられている。このスペーサ６Ｃ、６Ｃは、前記シール保持部５ｂに対して水平方向の貫通孔を設けておき、この貫通孔を貫通するように挿入され、その先端面が裏当材７に対して当接している。前記障子５の形材として、アルミ合金が使用されている場合は、シール保持部を小ホロー形状（小さな中空形状）にすることができないため、前記ネジ１０Ａ、１０Ｂを締め付けて軸保持部６を固定する際、締付け過ぎると、前記シール保持部５ｂの変形して破損することがあるため、これを防止するために前記軸保持部６に対して前記シール保持部５ｂを貫通するようにスペーサ６Ｃ、６Ｃを介在させるようにしたものである。
【００３７】
前記裏当材７は、図３に示されるように、縦框本体と、縦框５Ｄの突出片５ａと、前記シール保持片５ｂとによって囲まれる空間内に収容される断面寸法を有する形材であり、図５(B)に示されるように、３セルの中空部を有するとともに、前記ネジ１０Ａ、１０Ｂが螺入されるネジ孔７ａ、７ｂを有する。特に図示の例では、前記突出片５ａと、縦框本体中空部５ｃと、第２突出片５ｄとによって凹部５ｅを形成し、この凹部５ｅに前記裏当材７が嵌合されるようにしている。前記突出片５ａの付け根部には、障子５の開閉によって室内外方向の繰り返し荷重を受け、金属疲労によって付け根部に亀裂が生じる場合があるため、前記裏当材７を前記凹部５ｅに嵌合させることにより、荷重負担を軽減し亀裂の発生を防止することが可能となる。
【００３８】
前記カバー材９は、軸受本体６を縦框５Ｄに取付けるた後に、これらをカバーし、外観を整えるために設置するものである。
【００３９】
以上のように、本縦框側軸受２は、前記シール保持部５ｂの見込み面に取り付けられ、前記シール保持部５ｂの裏面側に配設された裏当材７に対して、前記縦框側軸受２から前記シール保持部５ｂを貫通し前記裏当材７に螺合させたネジ１０Ａ、１０Ｂによって固定されているため、前記シール材２０は前記縦框側軸受２の取付部位においても切断することなく、連続させることが可能となり、高い気密性を保持できるようになる。
【００４０】
＜枢軸８＞  
前記枢軸８は、同図５（枢軸８の装着状態を示す。）に示されるように、前記軸ホルダ部６Ｂの中空孔６ａに挿入される相対的に太径の上部側枢軸８ａと、前記軸ホルダー部６Ｂの下面から下側に突出し、縦枠側軸受３によって支持される相対的に小径の下部側枢軸８ｂとから構成されている。この下部側枢軸８ｂの下端には、水平方向に軸挿通孔８ｃが形成されている。
【００４１】
＜縦枠側軸受３＞
次に、前記枢軸８を鉛直軸回りに回転自在かつ室内側に傾動自在に支持する縦枠側軸受３について詳述する。
【００４２】
前記縦枠側軸受３は、図６及び図７に示されるように、前記枢軸８の下部側枢軸８ｂが嵌合される上面開口の枢軸受け部１２に、該枢軸受け部１２の背面側から上方向に延出する取付板部１３を一体的に備えた部材である。
【００４３】
前記枢軸受け部１２は、詳細には図８に示されるように、前面壁の外面が弧状に形成された立方体形状の部材に、上面側を開口とする軸受凹部１２ａを形成した部材である。前記軸受凹部１２ａの前壁（室内側の壁部）の内面には、上部側に傾斜面１２ｃが形成されているとともに、両側壁面には軸孔１２ｂ、１２ｂが形成され、図１に示されるように、前記枢軸８の下部側枢軸８ｂの先端を軸受凹部１２ａに嵌入し、前記軸孔１２ｂ、１２ｂと、下部側枢軸８ｂに形成された軸挿通孔８ｃとに挿通される支軸１４によって前記枢軸８が室内側に傾動自在に支持されるようになっている。
【００４４】
前記取付板部１３は、同図８に示されるように、前記枢軸受け部１２の背面側に厚みｔの間隙を空けた状態で、枢軸受け部１２の背面側から連続して上方向に延出させた部材である。前記厚みｔの間隙は、前記軸受３を縦枠４Ｄの取り付け面に対応する壁面の板厚に対応するものである。前記取付板部１３の前面（枢軸受け部１２側の面）は少なくとも平面とされる。
【００４５】
前記取付板部１３の上部には、ネジ孔１３ａが形成され、該取付板部１３の下端面（前記厚みｔ部分）は、図８(C)に示されるように、円弧状部１３ｃが形成されている。前記ネジ孔１３ａのネジ螺入面側（室内側の面）には、該ネジ孔１３ａを中心として窪み状の凹部１３ｂが形成されている。
【００４６】
＜縦枠側軸受３の取付け＞
前記縦枠側軸受３を縦枠４Ｄに取り付けるには、図９に示されるように、取付部位に前記取付板部１３が挿入可能なぎりぎりの径（≒取付板部１３の幅寸法）で、円形の取付用開孔４ａを穿設するとともに、その上部側であって、取付板部１３のネジ孔１３ａに対応する位置にネジ通孔４ｂを穿設しておく。なお、前記取付用開孔４ａの下半形状は、前記取付板部１３の円弧状部１３ｃに整合する形状となっている。なお、前記ネジ通孔４ｂの径（ｄ１）と、前記取付板部１３に形成した窪み状の凹部１３ｂの表面側の径（ｄ２）との関係は、図１１(A)に示されるように、ｄ２＞ｄ１となっている。
【００４７】
次に、図１０(A)に示されるように、縦枠側軸受３の取付板部１３を前記縦枠４の取付用開孔４ａから挿入し、図１０(B)(C)に示されるように、前記取付板部１３側を上向き方向に回転させて、図１０(D)に示されるように、前記取付板部１３の前面を取付壁面の裏面に密着させた状態とするとともに、取付板部１３の円弧状部１３ｃを取付用開孔４ａの下半部に接触させた状態とする。この状態で、前記縦框４Ｄの外側から前記ネジ通孔４ｂを通して前記取付板部１３のネジ孔１３ａにネジ１５を螺入することによって固定を図る。
【００４８】
前述したように、前記ネジ孔１３ａのネジ螺入面側（室内側の面）には、該ネジ孔１３ａを中心として窪み状の凹部１３ｂが形成されているため、図１１に示されるように、前記ネジ１５をねじ込むと、ネジ通孔４ｂの縁部が前記窪み状の凹部１３ｂ側に屈曲され、食い込むように変形するため、より堅固な固定が可能となる。
【００４９】
〔縦枠側軸受の第２形態例〕
次に、第２形態例に係る縦枠側軸受３’について、図１２及び図１３に基づき詳述する。前述した縦枠側軸受３は、ダイキャストによって製造されるものであるが、本第２形態例に係る縦枠側軸受３’は、鋼材の加工によって製造したものである。
【００５０】
本縦枠側軸受３’も、前記枢軸８の下部側枢軸８ｂが嵌合される上面開口の枢軸受け部１６に、該枢軸受け部１６の背面側から上方向に延出する取付板部１７を一体的に備える。
【００５１】
前記枢軸受け部１６は、両側壁１６Ａ、１６Ｂと、底面壁１６Ｃと、背面壁１６Ｄとからなり、前面壁は有さず開口のままとしている。前記両側壁１６Ａ、１６Ｂには夫々、軸孔１６ａ、１６ａが形成され、前記枢軸８の下部側枢軸８ｂに形成された軸挿通孔８ｃとに挿通される支軸１４によって前記枢軸８が室内側に傾動自在に支持されるようになっている。前記背面壁１６Ｄを構成する板材は、階段状に加工されており、下側が背面壁１６Ｄを構成し、上部側が取付板部１７を構成している。前記取付板部１３は、図１３に示されるように、前記枢軸受け部１６の背面側に厚みｔの間隙を空けた状態で、枢軸受け部１６の背面側から連続して上方向に延出させてある。前記取付板部１７の上部には、ネジ孔１７ａが形成され、該取付板部１７の下端面（前記厚みｔ部分）は、図１３(C)に示されるように、円弧状部１７ｃが形成されている。前記ネジ孔１７ａのネジ螺入面側（室内側の面）には、該ネジ孔１７ａを中心として窪み状の凹部１７ｂが形成されている。
【００５２】
なお、前記枢軸受け部１６は前面壁を有しないが、少なくとも前面部及び側壁部１６Ａ、１６Ａを覆うカバー材（図示せず）が設けられるようになっている。
【００５３】
〔他の形態例〕
(1)ところで、上記形態例では、縦框側軸受２を固定するに当り、前記シール保持部５ｂの裏面側に配設された立方体形状の裏当材７に対して、ネジ止めするようにしたが、前記裏当材としては、他に図１４に示されるような部材とすることも可能である。図示された裏当材は、縦框５Ｄに固定された支持部材１９に対してブラケット状の裏当材１８を固定し、このブラケット状の裏当材１８に対してネジ１０Ａ、１０Ｂを螺入させるようにしたものである。
(2)上記形態例では、障子を室内側に傾動させて内倒し窓としたり、障子を室内側に回動させて内開き窓としたりできる内倒し兼用内開き窓に対して、本発明に係る軸受金具の取付構造を適用した場合の形態例について述べたが、本発明に係る軸受金具の取付け構造は、内開き窓や扉、外開き窓や扉など、水平方向への回動操作によって開閉自在とされる開閉体（障子、扉）一般に対して適用が可能である。
【符号の説明】
【００５４】
１…ヒンジ装置、２…縦框側軸受、３…縦枠側軸受、４…窓枠、４Ｄ…縦枠、４ａ…取付用通孔、４ｂ…ネジ通孔、５…障子、５Ｄ…縦框、６…軸受本体、６ａ…中空孔、６Ｃ…スペーサ、７…裏当材、８…枢軸、８ａ…上部側枢軸、８ｂ…下部側枢軸、８ｃ…、軸挿通孔、９…カバー材、１０…芋ネジ、１１…ブシュ、１２・１６…枢軸受け部、１２ａ…軸受凹部、１３・１７…取付板部、１３ａ…ネジ孔、１３ｂ…窪み状の凹部、１３ｃ・１７ｃ…円弧状部、１４…支軸、１５…ネジ
【図１】
2013209814.tif 000003
【図２】
2013209814.tif 000004
【図３】
2013209814.tif 000005
【図４】
2013209814.tif 000006
【図５】
2013209814.tif 000007
【図６】
2013209814.tif 000008
【図７】
2013209814.tif 000009
【図８】
2013209814.tif 000010
【図９】
2013209814.tif 000011
【図１０】
2013209814.tif 000012
【図１１】
2013209814.tif 000013
【図１２】
2013209814.tif 000014
【図１３】
2013209814.tif 000015
【図１４】
2013209814.tif 000016
【図１５】
2013209814.tif 000017
【図１６】
2013209814.tif 000018
【図１７】
2013209814.tif 000019
【図１８】
2013209814.tif 000020
【図１９】
2013209814.tif 000021
【図２０】
2013209814.tif 000022